【事件の表示】
　特願２００３−　３２８３５「面光源装置」拒絶査定不服審判事件〔平成１６年　９月　２日出願公開、特開２００４−２４７０７２〕について、次のとおり審決する。
【結　論】
　本件審判の請求は、成り立たない。
【理　由】
１．手続の経緯・本願発明
　本願は、平成１５年２月１０日の出願であって、その各請求項に係る発明は、平成１９年３月１９日付けの手続補正に係る明細書の特許請求の範囲の請求項１から５に記載された事項によって特定されるものと認められ、その請求項２に係る発明は、次のとおりである。
　「【請求項２】少なくとも１端面に沿って配置された光源から入射された光を出光面に導き、該出光面から面状に出光する導光板を備えた面光源装置において、
　前記導光板は、前記出光面を有する導光層と、該導光層の前記出光面に対向する面に一体形成された反射層と、前記出光面に成形された該出光面の法線方向へ集光するプリズムと、を備えることを特徴とする面光源装置。」
（以下、「本願発明」という）　
　
２．引用文献の記載事項
（１）これに対して、原査定の拒絶理由において引用された、本願の出願前に頒布された刊行物である特開平９−２９２５３３号公報（以下、「引用例」という）には、次のア〜エの事項が記載されている。
　　 
ａ：「【請求項１】光を入射する光入射部と、複数の面を有し、前記入射部から入射された光を導光する導光部と、前記導光部から導光された光を出射する光出射部と、からなる導光板の前記導光部の表面に、可視光に対し反射性を有する材料を含むインクを設けてなる反射層を備えることを特徴とする照明装置。」（第２頁第１欄第２〜７行）
　　
ｂ：「【０００２】【従来の技術】液晶表示パネルを備えた液晶表示装置には、液晶表示パネル自体が自己発光能力を有していないので、液晶表示パネルの裏面側にバックライトとしての照明装置を設けたものがある。従来のこのような液晶表示装置としては、図２あるいは図３に示すようなものが知られている。まず、図２に示す液晶表示装置について説明する。・・・
【０００３】照明装置５は、アクリル樹脂からなる平面方形状の導光板１１を備えている。・・・この導光板１１では、その左端面が光入射面１１ａとされ、その上面が光出射面１１ｂとされている。・・・導光板１１の光出射面１１ｂの左端部及び反射シート１３の下面左端部には反射フィルム１９の両端部が貼り付けられている。導光板１１の光入射面１１ａの近傍であって反射フィルム１９内には直線筒状の冷陰極蛍光管２０が配置されている。
【０００４】反射フィルム１９は、冷陰極蛍光管２０からの光を効率良く導光板１１の光入射面１１ａに入射させるためのものである。そして、導光板１１の光入射面１１ａに入射された光は導光板１１の内部で反射され、導光板１１の光出射面１１ｂから出射される。」（第２頁第１欄第２７行〜同頁第２欄第２０行）
　　
ｃ：「【０００９】【発明の実施の形態】図１はこの発明の一実施形態を適用した液晶表示装置の要部を示したものである。この図において、図２と同一部分には同一の符号を付し、その説明を適宜省略する。この液晶表示装置では、導光板１１の下面、右端面、前端面及び後端面に反射層３１が連続して形成され、この反射層３１の表面に遮光層３２が形成された構造となっている。このうち反射層３１は、白色インクを塗布したものからなっている。この場合の塗布方法としては、射出成形によって形成された溝１６を有する導光板１１の光入射面１１ａ及び光出射面１１ｂをマスキングし、その他の面に白色インクを吹き付けて塗布したり、導光板１１全体を白色インク液中に浸けて塗布したりする方法がある。」（第３頁第３欄第３６〜４９行）
　　
ｄ：「【００１１】なお、上記実施形態では、反射層３１を白色インクをただ単に塗布することによって形成した場合について説明したが、・・・銀やアルミニウム等の反射率の高い金属材料を蒸着等により付着することによって形成するようにしてもよい。」（第３頁第４欄第３８〜４５行）
　　
［引用例に記載されている発明］
　上記ｃの「図１はこの発明の一実施形態・・・を示し・・・図２と同一部分には同一の符号を付し、その説明を適宜省略する。」の記載と共に、図面（図１及び図２）も参酌しつつ上記ａ〜ｄの記載事項を総合すると、引用例には次の発明が記載されているといえる。
　「光を入射する光入射部と、複数の面を有し、前記入射部から入射された光を導光する導光部と、前記導光部から導光された光を出射する光出射部と、からなる導光板の前記導光部の表面に、可視光に対し反射性を有する材料を含む反射層を備える照明装置において、
　前記導光板はアクリル樹脂からなる平面方形状の導光板１１からなり、この導光板１１では、その左端面が光入射面１１ａとされ、その上面が光出射面１１ｂとされていて、導光板１１の光入射面１１ａの近傍には冷陰極蛍光管２０が配置されていて、導光板１１の光入射面１１ａに入射された光は導光板１１の内部で反射され、導光板１１の光出射面１１ｂから出射されるものであって、
　更に、導光板１１の下面、右端面、前端面及び後端面には、反射層３１が塗布や蒸着等により連続して形成されている照明装置。」（以下、「引用発明」という）
　　
　（２）次に、原査定の拒絶の理由で周知例とされた、いずれも本願の出願前に頒布された刊行物である、特開平８−２８６０４３号公報（以下、「周知例１」という。【０００４】、【０００９】参照）、及び特開２０００−２２１３２９号公報（以下、「周知例２」という。【００１９】、【００２１】参照）には、液晶表示装置等に用いられる面光源装置では、導光板の出光面側に、出射光を出光面の法線方向へ集光させるためのプリズム体が配置されること、また、その配置の態様として、導光板の表面をプリズム形状に形成するものがあることが示されている。
　　
３．対比
（１）引用発明と本願発明とを対比すると、引用発明でいう「照明装置」は、本願発明でいう「面光源装置」に対応するものであって、「少なくとも１端面に沿って配置された光源」（光入射面１１ａの近傍に配置された冷陰極蛍光管２０）と、「光源から入射された光を出光面に導き、該出光面から面状に出光する」（光入射面１１ａに入射された光は導光板１１の内部で反射され、導光板１１の光出射面１１ｂから出射される）導光板とを備えるという基本構成に関しては両者間に差異がない。そして、引用発明では、「導光板１１」と「反射層３１」とが、一応は別体のものとして表現されているけれども、反射層３１は「塗布や蒸着等」の結果として、導光板１１と一体形成されたものとみることもできるから、引用発明でいう「導光板１１」は、本願発明でいう「導光層」に、同じく「導光板１１の下面」は「導光層の前記出光面に対向する面」に、それぞれ相当するものといえる。
（２）上記の対比関係からみて、本願発明と引用発明との間の一致点及び相違点は次のとおりであると認められる。
　 
　【一致点】「少なくとも１端面に沿って配置された光源から入射された光を出光面に導き、該出光面から面状に出光する導光板を備えた面光源装置において、
　前記導光板は、前記出光面を有する導光層と、該導光層の前記出光面に対向する面に一体形成された反射層と、を備える面光源装置。」である点。
　【相違点】本願発明では、導光板が「前記出光面に成形された該出光面の法線方向へ集光するプリズム」を備えるのに対して、引用発明では、そのようなプリズムを備えることについて言及がない点。
　　
４．当審の判断
　上記の相違点について検討すると、上記の周知例１及び２に示されているように、当該技術分野（液晶表示装置等に用いられる面光源装置）においては、導光板の出光面側に、出射光を出光面の法線方向へ集光させるためのプリズム体を配置すること、また、その配置の一態様として、導光板の表面をプリズム形状に形成することは既に広く知られており、引用発明においてもこのような構成を採用して、本願発明と同様のものとすることは、当業者であれば容易に想到しうる程度の事項といえる。
　そして、本願発明が奏するという作用効果について検討しても、格別のものが認められない。
　
５．むすび
　したがって、本願発明（請求項２に係る発明）は、引用発明及び上記各周知例に示されている事項に基づいて当業者が容易に発明をすることができたものであるから、特許法第２９条第２項の規定により特許を受けることができず、このような特許を受けることができない発明を包含する本願は、他の請求項に係る発明について検討するまでもなく、拒絶されるべきものである。 
　よって、結論のとおり審決する。